(57)【要約】      （修正有）【課題】需要家の用途別水需要量変動を把握でき、一人暮らしの高齢者などの生活状況が需要家に監視されているという負担を生じさせることもなく、水需要量計測による見守りサービスの情報を提供する。【解決手段】各需要家の水道使用量は、自動検針システム９から見守りサービスシステム１０の水道使用量収集部１６に収集される。収集データは時系列データ処理部１７で時刻に対応した時系列データとして水量時系列データファイル部２０に記録する。使用用途別分類解析部１８はこの水量時系列データを基に需要家が水道をどのような用途に使用しているかを解析する。用途別データファイル部２１は使用用途別分類解析部１８が使用用途別に分類した需要家毎の1日単位のデータを記録する。【選択図】図２
2014232461.tif 000002
【特許請求の範囲】
【請求項１】
水道使用量を計測する電子式水道メータから情報を受信し、水道使用量を計測する水道使用量収集部と、
該水道使用量収集部の計測値を時系列データとして記憶処理する時系列データ処理部と、
基準値ファイル部に設定された用途別基準使用量、使用時間帯を基に使用用途別に分類解析する使用用途別分類解析部と、
その解析結果を記憶する用途別データファイル部と、
基準値ファイル部の基準設定値を設定変更する基準値設定部と、
見守りサービスの契約者の表示端末からの見守りサービス情報要求を受付ける通信処理部と、
該見守りサービス情報要求内容により該当需要家の見守りサービス情報を検索、編集処理し、情報提供する見守りサービス情報処理部を備えたことを特徴とする水需要量計測見守りサービス装置。
【請求項２】
請求項１に記載の見守りサービス装置において、
前記使用用途分類解析部は、前記需要家毎の水道使用量がどの用途に使用されたかを基準値と照合して推定用途に割り付けることを特徴とする水需要量計測見守りサービス装置。
【請求項３】
請求項１に記載の見守りサービス装置において、  前記使用用途は炊事（朝食、昼食、夕食）、トイレ（昼間、夜間）、風呂、洗濯、その他（用途不明）に分類されることを特徴とする水需要量計測見守りサービス装置。
【請求項４】
請求項１に記載の見守りサービス装置において、  前記需要家別の水道使用量は自動検針システムで定期的に自動収集され、前記時系列データ処理部に水量情報が提供されることを特徴とする水需要量計測見守りサービス装置。
【請求項５】
請求項１に記載の見守りサービス装置において、
前記見守りサービス情報は契約者の表示端末からの操作要求によりＷｅｂ配信システム経由で通信部に操作内容の受付をし、前期見守りサービス情報処理部で該需要家の該情報を検索、編集して再度通信部、Ｗｅｂ配信システム経由で表示端末に提供されることを特徴とする水需要量計測見守りサービス装置。
【発明の詳細な説明】
【技術分野】
【０００１】
本発明は、水需要量計量装置に係り、特に、需要家の用途別水需要量変動を把握でき、需要家の生活リズムの中長期的な変動を認知する見守りサービス装置に関する。
【背景技術】
【０００２】
従来、水道需要家に設置された計量装置は、計量したデータを目視で検針し、一定期間の使用量を把握している。一部の大口需要家では、計量装置に通信部を設け、自動検針するシステムも導入されている。
【０００３】
例えば、〔特許文献１〕に記載の従来の技術では、見守られる側の電気、ガス、水道等の使用状況を検出し、確認サーバで標準使用データと比較して正常／異常を判定し、異常と判定したときに見守る側の連絡先情報通信機器に異常報知を行うことが開示されている。また、〔特許文献２〕では、需要家の水道使用履歴情報により需要家の生活状況把握をする技術が開示されている。
【０００４】
又、〔特許文献３〕には、電力量計によって計測された電力量を含む電力情報を自動検針サーバに一定周期で送信し、電力機器の使用状況の変化から生活パターンの変化を検出する技術が開示されている。さらに、〔特許文献４〕には、見守られる側の家庭の電力使用量を計測し、その電力使用量に基づいて生活パターンを抽出して予想パラメータと比較し、比較の結果が予想パラメータから想定される範囲外である場合に見守られる側に異常ありと判定し、予め定めた連絡先に報告することが開示されている。
【先行技術文献】
【特許文献】
【０００５】
【特許文献１】特開２００３−６３３７号公報
【特許文献２】特開平７−１２１６７７号公報
【特許文献３】特開２０１２−６８７７４号公報
【特許文献４】特許５０００９８０号公報
【発明の概要】
【発明が解決しようとする課題】
【０００６】
上述した従来の技術において、〔特許文献1〕では電気、ガス、水道の使用状況を計測して標準使用量推移との照合により異常を判定しているため、契約時点で作成される標準使用量に実情の使用量と大きな食い違いが発生すると、異常が頻発して通常運用が不可能となる恐れがある。
【０００７】
〔特許文献２〕では水道使用履歴情報と参照パターンとの比較によって異常を判定している。参照パターンは1日を４分割したものであり、各時間帯の比較により異常判定がされるため、風呂、トイレ、炊事、洗濯等の水道使用用途別の判断はできない。〔特許文献３〕、および〔特許文献４〕では電気機器の使用状況より生活パターンを比較しているため、水使用特有の生活パターンの検出はできない。
【０００８】
水道使用量の短時間の変化を把握することは、需要家、特に1人暮らしの高齢者などの水使用に密接に関連する健康状態の変化を時系列的に捕らえることが可能となり、需要家に対する見守りサービスを向上させる手段の提供が期待できるが、上述した従来の技術は、これらの点について配慮されていないものであった。
【０００９】
本発明の目的は、計量装置の需要量の変動を把握でき、用途別の水道使用量から健康状態の変化を認知できる水需要量計測見守りサービス装置を提供することにある。
【課題を解決するための手段】
【００１０】
上記目的を達成するために、本発明の水需要量計測見守りサービス装置は、
水道使用量を計測する電子式水道メータから情報を受信し、水道使用量を計測する水道使用量収集部と、該水道使用量収集部の計測値を時系列データとして記憶処理する時系列データ処理部と、基準値ファイル部に設定された用途別基準使用量、使用時間帯を基に使用用途別に分類解析する使用用途別分類解析部と、その解析結果を記憶する用途別データファイル部と、基準値ファイル部の基準設定値を設定変更する基準値設定部と、見守りサービスの契約者の表示端末からの見守りサービス情報要求を受付ける通信処理部と、該見守りサービス情報要求内容により該当需要家の見守りサービス情報を検索、編集処理し、情報提供する見守りサービス情報処理部を備えたことを特徴とするものである。
【００１１】
更に、本発明の水需要量計測見守りサービス装置は、前記使用用途分類解析部は、前記需要家毎の水道使用量がどの用途に使用されたかを基準値と照合して推定用途に割り付けることを特徴とするものである。
【００１２】
更に、本発明の水需要量計測見守りサービス装置は、前記使用用途は炊事（朝食、昼食、夕食）、トイレ（昼間、夜間）、風呂、洗濯、その他（用途不明）に分類されることを特徴とするものである。
【００１３】
更に、本発明の水需要量計測見守りサービス装置は、前記需要家別の水道使用量は自動検針システムで定期的に自動収集され、前記時系列データ処理部に水量情報が提供されることを特徴とするものである。
【００１４】
更に、本発明の水需要量計測見守りサービス装置は、前記見守りサービス情報は契約者の表示端末からの操作要求によりＷｅｂ配信システム経由で通信部に操作内容の受付をし、前期見守りサービス情報処理部で該需要家の該情報を検索、編集して再度通信部、Ｗｅｂ配信システム経由で表示端末に提供されることを特徴とするものである。
【発明の効果】
【００１５】
本発明によれば、健康状況に関わる生活パターンが水使用量の用途別分類処理により的確に把握でき、短期的な健康状況変化だけでなく、中長期的な健康状況変化を確認できる。この方法により、1人暮らしの高齢者などの生活状況が水道使用量により把握でき、電気やガスの使用量計測では実現できない健康状態の推移がどのようになっているかを知ることができ、緩やかに進む健康状態の変化兆候に気づく重要な判断情報を得られる。
【図面の簡単な説明】
【００１６】
【図１】本発明の一実施形態である水需要量計測による見守りサービスシステムの要部構成図である。
【図２】水需要量計測による見守りサービス装置の構成図である。
【図３】水道使用量の用途別分類の例を示す図である。
【図４】水道使用量の用途別基準使用量、および使用時間帯の例を示す図である。
【図５】１日在宅時の需要家の日間水道使用量の日間変動パターンの例を示した図である。
【図６】１日在宅時の需要家の日間水道使用量を推定用途の該当項目に割り付けた例を示す。
【図７】昼間外出時の需要家の日間水道使用量の日間変動パターンの例を示した図である。
【図８】昼間外出時の需要家の日間水道使用量を推定用途の該当項目に割り付けた例を示す。
【図９】トイレ使用回数の長期変動の例を示した図である。
【図１０】見守りサービスの提供画面の例を示した図である。
【発明を実施するための形態】
【００１７】
本発明の一実施形態について、図１から図８を用いて説明する。図１は、本実施形態の
見守りサービスシステムに関連する要部構成図である。
【００１８】
図１に示すように、例えば水道水は、水道配水管網４から給水管５を通じて各需要家１に供給されるようになっており、水道使用量を計測する電子式水道メータ２には有線、あるいは無線方式の通信装置３が接続されている。
【００１９】
各通信装置３は、データ伝送用のネットワークなどの通信回線網８を介して、各需要家１の需要水量を自動検針し集計処理する自動検針システム９に接続され、自動検針システム９には、需要家の水需要量を把握して見守りサービスを実行する見守りサービスシステム１０、見守りサービスの情報提供をするＷｅｂ配信システム１１が順次接続されている。
【００２０】
Ｗｅｂ配信システム１１は、見守りサービスの情報提供のため、通信回線網８を経由して表示端末である携帯電話１３、スマートフォン１４、およびパソコン１５に有線、あるいは無線方式により見守り情報を配信する。見守りサービスの契約者は、この表示端末により見守り対象者の需要家１がどのような水道使用量にあるかの情報を確認して健全な状況にあるかを判断できる。
【００２１】
見守りサービスに利用される水道使用量は、単位時間当たりの使用量に応じた使用用途に分類し、健康に関連する用途の頻度を把握することで見守りサービスの提供情報とする。
【００２２】
水使用量は需要家の生活状況を極めて明確に示すが、個人差が大きく出る可能性がある。このため、用途は大きく炊事、トイレ、風呂、洗濯等に限定し、使用時間帯に応じた状況分類とする。
【００２３】
見守りサービスシステム１０は、図２に示すような構成である。各需要家の水道使用量は、自動検針システム９から見守りサービスシステム１０の水道使用量収集部１６に収集される。収集データは時系列データ処理部１７で時刻に対応した時系列データとして水量時系列データファイル部２０に記録する。使用用途別分類解析部１８はこの水量時系列データを基に需要家１が水道をどのような用途に使用しているかを解析する。基準値ファイル部２２は用途別に分類するための基準値を持っており、その設定値は基準値設定部２３で設定する。用途別データファイル部２１は使用用途別分類解析部１８が使用用途別に分類した需要家１毎の1日単位のデータを記録する。見守りサービス情報処理部１９は、Ｗｅｂ配信システム１１経由で見守りサービスの契約者が所有する表示端末からの情報提供要求を受け付け、水量時系列データファイル部２０、および用途別データファイル部２１からの検索情報を基に提供コンテンツ情報を編集する。その編集結果は、通信処理部２４よりＷｅｂ配信システム１１へ送られ、要求先の契約者の表示端末に情報提供するように構成される。
【００２４】
使用用途別分類解析部１８の処理方法について述べる。図３は1日の水道使用量を基に炊事、トイレ、風呂、洗濯等の用途別使用回数が何回あるかを曜日毎に分類処理した例である。
【００２５】
日常の生活状況は、個々の変化はあるが一定の規則性があると考えられる。見守りサービスでは、一般に水道使用量の利用変動を監視してその変動パターンがあらかじめ定めた設定範囲を超過した場合に、異常があったと判断している。短期的にはこの方法は有効であるが、1ヶ月から1年以上の健康状況変化等の長期変化を捉えるのは困難である。
【００２６】
このため、図４に示すように使用用途毎の基準使用量、および使用時間帯を規定し、単位時間毎の水道使用量がどの条件に合致するかを判定する。その判定結果が合致した場合は、図３の用途項目の該当曜日に頻度数を登録し、用途別データファイル部２１に記録する。
【００２７】
図５は、需要家が1日在宅していた日の日間水道使用量パターンの1時間毎の積算値の例を示したものである。この1時間毎の積算値がどの用途に該当するかを図４の使用用途毎の基準使用量、および使用時間帯と照合して、適合する用途があれば図６に示す推定用途の該当項目に割り付ける。例えば、午前1時から午前2時までの水道使用量は１０ｌであり、その数値と使用時間帯より「トイレ（夜間）」に該当するとする。同様にして、朝、昼、夕方の炊事、風呂、洗濯を割り付ける。もし、該当する用途が不明の場合には、その他に割り付ける。
【００２８】
図７は、需要家が昼間外出していた日の日間水道使用量パターンの1時間毎の積算値の例を示したものである。図８に示すように外出時間帯の水道使用量がないため、該当時間帯の数値は０を示しており、外出時間帯の水道使用量に対する推定用途もない。
【００２９】
図９は、使用用途別に分類された中から1日当りのトイレの使用回数が、週間ごとに過去２年間どのように推移したかをグラフ化したものである。横軸は２週間単位に現在〜1年前と１年前〜２年前の時間軸を示している。また、縦軸は２週間分の１日トイレ使用回数の平均値を示している。このグラフで現在〜1年前とさらに1年前とを比較することにより、トイレ使用回数が長期的に増大傾向にあるかどうかを判断できる。トイレ使用回数は高齢化とともに回数が増えるといわれ、1日当り８回以上は頻尿とされる。したがって、トイレ使用回数の増大傾向は、体調変化の兆しを事前に知る上で、有用な情報と考えられる。
【００３０】
また、図９においてトイレ使用回数が気温の変化による水分摂取量の季節的影響を受けることを考慮して、横軸は1年単位の同週目が対応するように表現している。
【００３１】
図１０は、見守りサービスの提供画面例を示す。この画面では前日の水道使用量と過去の平均水道使用量とを対比させて、時間帯別の水道使用状況を「見える化」情報として表現している。また、水道使用量の変化は傾向を解析して「安心」な状況であるか、「心配」な状況であるかをイラストで表現可能であり、この実施例では「安心」な状態であることを示している。
【００３２】
また、図１０の画面情報は、契約者の操作要求により図３の週間単位の用途別使用回数や図６、図８の時間単位の用途別使用回数に切替表示できる。
【００３３】
このように構成された見守りサービスシステム１０は、以下のような動作をする。各需要家１への水道水は、水道施設である複数の配水池７から配水ポンプ６により水道配水管網４に配水され、給水管５から各需要家１に供給されている。各需要家１の水道使用量は、電子式メータ２により計測され、その情報は通信装置３から通信回線網８を経由して自動検針システム９により収集される。
【００３４】
自動検針システム９では、定期的に検針した情報を時系列に記憶し、料金システム等の基礎データとして使用される。
【００３５】
見守りサービスシステム１０は、水道使用量収集部１６により自動検針システム９から需要家の検針データを定期的に収集し、時系列データ処理部１７で水量時系列データファイル部２０に記憶する。
【００３６】
使用用途別分類解析部１８では、基準値ファイル部２２の需要家別に持っている用途別基準使用量、使用時間帯の設定値を基に水量時系列データファイル部２０より該当の需要家に対応したデータを検索し、用途別に分類する。その結果は用途別データファイル部２１に記憶する。
【００３７】
基準値ファイル部２２にある用途別の基準使用量や使用時間帯は需要家毎に変化があるため、各設定値は基準部設定部２３により任意に設定変更ができる。
【００３８】
見守りサービス情報処理部１９は見守りサービスの契約者が所有する携帯電話１３、スマートフォン１４、およびパソコン１５等の表示端末より見守りサービスの情報提供要求があった場合に、通信回線網８を経由してＷｅｂ配信システム１１よりその要求を受付けし、通信処理部２４を介して受付内容を受信する。見守りサービス情報処理部１９は、その受付内容にしたがって該当需要家の用途別でデータや水量時系列データを各々用途別データファイル部２１、水量時系列データファイル部２０より検索する。
【００３９】
通信処理部２４は、見守りサービス情報処理部１９の該当需要家の検索結果をＷｅｂ配信システム１１に送信する。
【００４０】
Ｗｅｂ配信システム１１は、その情報を通信回線網８を経由して要求があった見守りサービスの契約者の表示端末に配信し、表示端末上に見守りサービス情報を表示し、見守りサービス対象の需要家の状態を確認できる。
【００４１】
このように、本実施例によれば、健康状況に関わる生活パターンが水使用量の用途別分類処理により的確に把握でき、短期的な健康状況変化だけでなく、中長期的な健康状況変化を確認できる。この方法により、例えば一人暮らしの高齢者などの生活状況が、生活状況が需要家に監視されているという負担を生じさせることもなく水道使用量により把握できる。そして、電気やガスの使用量計測では実現できない健康状態の推移がどのようになっているかを知ることができ、緩やかに進む健康状態の変化兆候に気づく重要な判断情報となる見守りサービスの情報提供を実現できる。
【符号の説明】
【００４２】
１  需要家
２  電子式水道メータ
３  通信装置
４  水道配水管網
５  給水管
６  配水ポンプ
７  配水池
８  通信回線網
９  自動検針システム
１０  見守りサービスシステム
１１  Ｗｅｂ配信システム
１２  検索端末装置
１３  携帯電話
１４  スマートフォン
１５  パソコン
１６  水道使用量収集部
１７  時系列データ処理部
１８  使用用途別分類解析部
１９  見守りサービス情報処理部
２０  水量時系列データファイル部
２１  用途別データファイル部
２２  基準値ファイル部
２３  基準値設定部
２４  通信処理部
【図１】
2014232461.tif 000003
【図２】
2014232461.tif 000004
【図３】
2014232461.tif 000005
【図４】
2014232461.tif 000006
【図５】
2014232461.tif 000007
【図６】
2014232461.tif 000008
【図７】
2014232461.tif 000009
【図８】
2014232461.tif 000010
【図９】
2014232461.tif 000011
【図１０】
2014232461.tif 000012